(57)【要約】【課題】  表示部の外周部の額縁が見えなくなるようにした額縁レス表示装置を提供する。【解決手段】  レンズ９とボタンカバー８Ａで構成するボタン８を備え、表示装置６をレンズ９の下方に設け、前記レンズ９はボタン８の上面に配設されるとともに、このレンズ９の上面の外周に曲面９Ａを形成し、さらに下方に凹部を形成するとともに外周に段部を形成し、この段部に前記レンズ９の中央に向いた傾斜面を形成することにより、前記ボタン８の上面の額縁をなくし、前記ボタン８の全面に表示媒体を表示する。【選択図】  図１
2015133226.tif 000002
【特許請求の範囲】
【請求項１】
レンズとボタンカバーで構成するボタンを備え、表示装置をレンズ下方に設け、前記レンズは、ボタンの上面に配設されるとともにこのレンズの上面の外周に曲面を形成し、さらに下方に凹部を形成するとともに外周に段部を形成し、該段部に前記レンズの中央に向いた傾斜面を形成することにより、前記ボタンの上面の額縁をなくし、ボタンの全面に表示媒体を表示することを特徴とする額縁レス表示装置。
【請求項２】
請求項１記載の額縁レス表示装置において、前記レンズ上面外周の曲面にブラスト処理を施すことを特徴とする額縁レス表示装置。
【請求項３】
請求項１又は２記載の額縁レス表示装置において、前記ボタンの操作により電路の開閉を行う小型スイッチを具備することを特徴とする額縁レス表示装置。
【請求項４】
請求項３記載の額縁レス表示装置において、前記小型スイッチが押しボタンスイッチであることを特徴とする額縁レス表示装置。
【発明の詳細な説明】
【技術分野】
【０００１】
本発明は、額縁レス表示装置に係り、特に額縁レス表示装置を備えた小型スイッチに関するものである。
【背景技術】
【０００２】
従来、表示装置における額縁が問題になるケースとしては、以下のようなものが提案されている。
【０００３】
（１）ボタン上面の表示部周囲の額縁を１ｍｍ以下とした狭額縁表示装置付き押ボタンスイッチが提案されている（下記特許文献１参照）。
【０００４】
（２）また、ボタンの上面全体に拡大表示可能なレンズを表示板の上部に載置した表示機能付きスイッチが提案されている（下記特許文献２参照）。
【０００５】
（３）更に、ボタンの上面に曲折可能なフィルム状の表示部材を配設した表示装置が提案されている（下記特許文献３参照）。
【先行技術文献】
【特許文献】
【０００６】
【特許文献１】特開２０１２−０５９６４９号公報
【特許文献２】特開２００３−０７７３５７号公報
【特許文献３】特許第４７５３２２５号公報
【発明の概要】
【発明が解決しようとする課題】
【０００７】
しかしながら、従来のものでは、
（１）上記特許文献１によれば、額縁を極力小さくすることはできるが、額縁をなくすことはできない。
【０００８】
（２）上記特許文献２によれば、ボタンを見る角度によって、表示が歪んで見える。
【０００９】
（３）上記特許文献３によれば、表示部材を折り曲げるには、ある程度の径が必要（直角には曲げられない）であるため小形化には対応できない。
【００１０】
本発明は、上記状況に鑑みて、表示部の外周部の額縁が見えなくなるようにした額縁レス表示装置を提供することを目的とする。
【課題を解決するための手段】
【００１１】
本発明は、上記目的を達成するために、
〔１〕額縁レス表示装置であって、レンズとボタンカバーで構成するボタンを備え、表示装置をレンズ下方に設け、前記レンズは、ボタンの上面に配設されるとともにこのレンズの上面の外周に曲面を形成し、さらに下方に凹部を形成するとともに外周に段部を形成し、この段部に前記レンズの中央に向いた傾斜面を形成することにより、前記ボタンの上面の額縁をなくし、前記ボタンの全面に表示媒体を表示することを特徴とする。
【００１２】
〔２〕上記〔１〕記載の額縁レス表示装置において、前記レンズ上面の外周の曲面にブラスト処理を施すことを特徴とする。
【００１３】
〔３〕上記〔１〕又は〔２〕記載の額縁レス表示装置において、前記ボタンの操作により電路の開閉を行う小型スイッチを具備することを特徴とする。
【００１４】
〔４〕上記〔３〕記載の額縁レス表示装置において、前記小型スイッチは押ボタンスイッチであることを特徴とする。
【発明の効果】
【００１５】
本発明によれば、ボタンの上面の額縁をなくし、ボタンの全面に表示媒体を表示することができる。
【図面の簡単な説明】
【００１６】
【図１】本発明の実施例を示す額縁レス表示装置の分解斜視図である。
【図２】本発明の実施例を示す額縁レス表示装置のＡ−Ａ線断面図である。
【図３】本発明の実施例を示す額縁レス表示装置の上面図である。
【図４】本発明の実施例を示す額縁レス表示装置の表示態様を示す図である。
【図５】本発明の他の実施例を示す額縁レス表示装置を備えた小型スイッチとしての押ボタンスイッチの分解斜視図である。
【図６】本発明の他の実施例を示す額縁レス表示装置を備えた小型スイッチとしての押ボタンスイッチの断面図である。
【図７】本発明の複数のボタンが配置された表示装置と従来の複数のボタンが配置された表示装置のそれぞれを示す上面図である。
【発明を実施するための形態】
【００１７】
本発明の額縁レス表示装置は、レンズとボタンカバーで構成するボタンを備え、表示装置をレンズ下方に設け、前記レンズは、ボタンの上面に配設されるとともにこのレンズの上面の外周に曲面を形成し、さらに下方に凹部を形成するとともに外周に段部を形成し、この段部に前記レンズの中央に向いた傾斜面を形成することにより、前記ボタンの上面の額縁をなくし、ボタンの全面に表示媒体を表示するようにした。
【実施例】
【００１８】
以下、本発明の実施の形態について詳細に説明する。
【００１９】
図１は本発明の実施例を示す額縁レス表示装置の分解斜視図、図２はその額縁レス表示装置のＡ−Ａ線断面図、図３はその額縁レス表示装置の上面図、図４はその額縁レス表示装置の表示態様を示す図であり、図４（ａ）は額縁部分を真上から見た態様を示す図、図４（ｂ）は額縁部分を斜め方向から見た態様を示す図である。
【００２０】
これらの図において、１はベース、２は枠部材、３はコネクタ収納部、４はコネクタ、５はホルダ、６は表示装置、６Ａは表示装置発光エリア、７はフレキシブルプリント基板、８はボタン、８Ａはボタンカバー、９は表示装置６の上部に配置されるレンズ、９Ａはレンズの外周部に形成される曲面、９Ｂはボタンカバー８Ａに当接するレンズの段部、９Ｃは発光を反射するレンズの傾斜面、９Ｄはレンズの底に形成される凹部、９Ｅは表示媒体である。
【００２１】
本発明の額縁レス表示装置の表示媒体の表示態様を、図４を参照しながら説明する。
【００２２】
図４（ａ）のように真上から額縁部分を見ると、表示装置発光エリア６Ａから屈折された光で額縁部分の真上に像ができるため、額縁がないように見える。
【００２３】
また、図４（ｂ）のように斜め方向から額縁部分を見ると、傾斜面９Ｃで反射した表示装置発光エリア６Ａからの像が見えるため、額縁部分が見えない。
【００２４】
このように、ボタンの外周面には額縁部分が見えないので、図３に示すように、ボタンの上面の額縁をなくし、ボタンの全面に表示媒体を表示することができる。
【００２５】
なお、レンズ上面の外周に形成される曲面９Ａにはブラスト処理を施すことが望ましい。ブラスト処理を施すことにより、レンズ外周部分に生じるギラツキをなくし、良好な表示を行うことができる。
【００２６】
次に、本発明の他の実施例を示す額縁レス表示装置を有する小型スイッチとしての押ボタンスイッチについて説明する。
【００２７】
図５は本発明の他の実施例を示す額縁レス表示装置を備えた小型スイッチとしての押ボタンスイッチの分解斜視図、図６は本発明の他の実施例を示す額縁レス表示装置を備えた小型スイッチとしての押ボタンスイッチの断面図である。
【００２８】
これらの図において、２１はケース、２１Ａはラバードーム、２１Ｂはコネクタ、２１Ｃはスイッチ素子、２２はケース２１内に装着されるプランジャ、２３はケースカバー、２４はガイド、２５はパッキン、２６はオサエ板、２７は表示装置、２８はボタン、２８Ａはボタンカバー、２９は表示装置２７の上部に配置されるレンズ、２９Ａはレンズの曲面である。
【００２９】
ここで、ボタン２８はレンズ２９とボタンカバー２８Ａで構成されている。レンズ２９はボタンカバー２８Ａと一体成形され、ボタン２８の上面全体に装着されている。ボタンカバー２８Ａはボタン２８をオサエ板２６に固定している。ケース２１はラバードーム２１Ａやコネクタ２１Ｂやスイッチ素子２１Ｃ等を内蔵している。ケースカバー２３はケース２１を覆い、ケース２１に嵌合している。プランジャ２２は上下動してスイッチ素子２１Ｃを操作するようにケース２１に配設されている。ガイド２４はオサエ板２６を搭載し、プランジャ２２に嵌合している。パッキン２５はオサエ板２６とガイド２４を嵌合する際のクッションとなり、オサエ板２６とガイド２４で挟着されている。オサエ板２６は表示装置２７を搭載し、ガイド２４に嵌合している。表示装置２７は画像などを表示し、ボタン２８とオサエ板２６で挟持している。なお、ここでは、典型的な押しボタンスイッチについて説明したが、これに限定されるものではなく、表示装置を有する他の種類の小型スイッチにも提要できることは言うまでもない。
【００３０】
この実施例においても、図４（ａ）のように真上から額縁部分を見ると、表示装置発光エリアから屈折された光で額縁部分の真上に像ができるため、額縁がないように見える。また、図４（ｂ）のように斜め方向から額縁部分を見ると、傾斜面９Ｃで反射した表示装置発光エリアからの像が見えるため、額縁部分が見えない。
【００３１】
なお、レンズ上面外周の曲面２９Ａにはブラスト処理を施すことが望ましい。ブラスト処理を施すことにより、レンズ外周部分に生じるギラツキをなくし、良好な表示を行うことができる。
【００３２】
図７は本発明の複数のボタンが配置された表示装置と従来の複数のボタンが配置された表示装置のそれぞれを示す上面図であり、図７（ａ）は本発明の表示装置の上面図、図７（ｂ）は従来の表示装置の上面図である。
【００３３】
これらの図から明らかなように、従来の表示装置によれば、図７（ｂ）のように、表示媒体３１は額縁３２によって区切られた表示態様となり、本発明によれば、図７（ａ）のように、表示媒体３１はレンズの外周の額縁は見えず良好な表示態様となる。
【００３４】
なお、本発明は上記実施例に限定されるものではなく、本発明の趣旨に基づき種々の変形が可能であり、これらを本発明の範囲から排除するものではない。
【産業上の利用可能性】
【００３５】
本発明の額縁レス表示装置は、表示部の外周部の額縁が見えなくなるようにした額縁レス表示装置として利用可能である。
【符号の説明】
【００３６】
１    ベース
２    枠部材
３    コネクタ収納部
４，２１Ｂ    コネクタ
５    ホルダ
６，２７    表示装置  
６Ａ    表示装置発光エリア
７    フレキシブルプリント基板
８，２８    ボタン
８Ａ，２８Ａ    ボタンカバー
９，２９    レンズ
９Ａ，２９Ａ    レンズの曲面
９Ｂ    レンズの段部
９Ｃ    レンズの傾斜面
９Ｄ    レンズの底に形成される凹部
９Ｅ，３１    表示媒体
２１    ケース
２１Ａ    ラバードーム
２１Ｃ    スイッチ素子
２２    プランジャ
２３    ケースカバー
２４    ガイド
２５    パッキン
２６    オサエ板
３２    額縁
【図１】
2015133226.tif 000003
【図２】
2015133226.tif 000004
【図３】
2015133226.tif 000005
【図４】
2015133226.tif 000006
【図５】
2015133226.tif 000007
【図６】
2015133226.tif 000008
【図７】
2015133226.tif 000009